(57)【要約】  顔用マスク（１０）が提供される。顔用マスク（１０）は、呼吸の空気が本体部（１２）を通して引き込まれるように、使用者（１４）の口及び鼻の少なくとも一部分を覆って位置されるように形成される本体部（１２）を含む。本体部（１２）は、流体がマスクを透過する通り抜けを妨げるためにバッフル層（１６）を含む。バッフル層（１６）は、外側又は内側表面（１８、２０）から延びる複数の突起部（２２）を備えた外側表面及び内側上面（１８、２０）を有する。バッフル層（１６）は、マスクの本体部を透過する流体と関連するエネルギーの吸収を助ける。バッフル層（１６）は、突起部（２２）の間のチャネル内の衝撃点（２４）から遠ざかる方向に流体を分布させる。【選択図】図１０
2007515248.tif 000002
【特許請求の範囲】
【請求項１】
本体部を備え、該本体部は、使用者の口と鼻の少なくとも一部とを覆うように置かれて使用者の口と鼻の少なくとも一部とを周囲環境から隔離し、呼吸のための空気が該本体部を通して吸引されるようにする形状であり、前記本体部は外側表面及び内側表面を持つバッフル層を有し、該バッフル層は、その外側表面又は内側表面の少なくとも１つから延びる複数の突起部を備え、前記バッフル層は、前記本体部に当たる流体に関連するエネルギーを吸収するのを助け、流体が通り抜けるのを阻止することを特徴とする顔用マスク。
【請求項２】
前記本体部は、前記バッフル層の前記突起部に接触する第一層及び前記バッフル層の前記内側表面に接触する第三層を有することを特徴とする請求項１に記載の顔用マスク。
【請求項３】
前記本体部は、着用時に使用者の皮膚に接触する内側層と、外側層とを有し、前記バッフル層は、前記内側層と前記外側層との間に配置されたことを特徴とする請求項１に記載の顔用マスク。
【請求項４】
前記第一層又は前記外側層は、前記バッフル層より剛性があることを特徴とする請求項２又は請求項３に記載の顔用マスク。
【請求項５】
前記本体部は複数の層を有し、前記突起部は、前記バッフル層と隣接層との間に内部空間を定めることを特徴とする請求項１から請求項４までのいずれか１項に記載の顔用マスク。
【請求項６】
前記突起部は前記バッフル層の前記外側表面上に配置され、前記突起部の各々は、前記バッフル層の前記内側表面上に内腔を定め、前記本体部は複数の層を有し、前記突起部は、前記バッフル層と外側の隣接層との間に内部空間を定め、前記バッフル層の前記内側表面上の前記内腔は、前記バッフル層の前記内側表面と内側の隣接層との間の接触を最小にすることを特徴とする請求項１から請求項５までのいずれか１項に記載の顔用マスク。
【請求項７】
前記突起部は前記バッフル層の前記外側表面上にあり、前記バッフル層の前記突起部及び前記外側表面は、前記本体部を透過する流体の流れを再配向する複数の相互接続チャネルを定め、前記チャネルは、前記流体を前記流体が当たる点から前記チャネルを通して、横方向に遠ざかるように反らせる配向を持つことを特徴とする請求項１から請求項６までのいずれか１項に記載の顔用マスク。
【請求項８】
前記バッフル層は、前記本体部を形成する１つだけの層であることを特徴とする請求項１に記載の顔用マスク。
【請求項９】
前記複数の突起部の各々は、前記バッフル層の前記内側表面上に内腔を定めることを特徴とする請求項１から請求項８までのいずれか１項に記載の顔用マスク。
【請求項１０】
前記複数の突起部は、前記バッフル層の前記外側表面から延びることを特徴とする請求項１から請求項９までのいずれか１項に記載の顔用マスク。
【請求項１１】
前記バッフル層は、三次元形状に形成されたウエブから形成されることを特徴とする請求項１から請求項１０までのいずれか１項に記載の顔用マスク。
【請求項１２】
前記突起部は、円形枕形状、又は六角形状であることを特徴とする請求項１から請求項１１までのいずれか１項に記載の顔用マスク。
【請求項１３】
前記バッフル層はフィルムであって、前記突起部の各々は、その内部に孔を定めることを特徴とする請求項１から請求項１１までのいずれか１項に記載の顔用マスク。
【請求項１４】
前記突起部は複数の谷部を定める隆起部であり、前記バッフル層の前記外側表面は波形状を有することを特徴とする請求項１から請求項１１までのいずれか１項に記載の顔用マスク。
【発明の詳細な説明】
【技術分野】
【０００１】
顔用マスク及び人工呼吸装置は、ほこり及び他の有害な空気によって運ばれる汚染物質を、着用者が口又は鼻を通して吸入することを防止する点で、様々な製造環境、保護管理環境、及び家庭用途において有用である。同様に、顔用マスクの使用は、疾病の広がりを妨げるために健康ケア−企業において実施が推奨されている。健康ケア−担当者によって着用される顔用マスクは、着用者から吐き出された空気を濾過することにより患者への感染を減少させ、その結果、周囲環境に放出された多くの有害な有機体又は他の汚染物質を減少させることになる。
【０００２】
このことは、傷部位が開状態のために、患者が極めて感染しやすくなっている手術中においては、特に重要である。同様に、呼吸器感染している患者は、顔用マスクを使用して、吐き出されたあらゆるばい菌を濾過及び収容することにより、疾病の拡大を防止することができる。更に、顔用マスクは、空気によって運ばれる汚染物質及び吸入した空気から微生物を濾過することにより、健康ケア−従事者を守る。
【０００３】
肝炎及びエイズなどのような幾つかの疾病は、感染した血液又は他の身体流体が、他人の粘膜、すなわち目、鼻、口などに接触することにより拡大される。健康ケア−企業は、汚染された身体流体と接触する可能性を減少するための特定の行為を行うことを推奨している。これを実施する１つの方法は、身体流体の飛沫が通り抜けないように抵抗する顔用マスクの使用である。
【０００４】
顔用マスクの鼻及び口を覆う部位は、典型的には、前パネル又は本体部として知られている。マスクの本体は、幾つかの材料の層で形成することができる。少なくとも１つの層は、ばい菌及び他の汚染物質の通過は妨げるが、使用者が心地良く呼吸できるように空気を通過させる濾過材料（濾過媒体層）で形成される。マスクの多孔性は、マスクを通してどのくらい空気を引き込みやすいかを意味する。孔が多いマスクは、呼吸しやすい。本体部は又、顔用マスクに付加的機能又は特性を付与するために複数の層を含むことができる。例えば、多くの顔用マスクは、濾過媒体層のいずれの側部にも材料の層を含む。着用者の顔に接触する層は、典型的には、内側層を意味する。顔から最も離れた層は、外側層を意味する。
【０００５】
顔用マスクは又、マスクの周辺を着用者の顔に対してシールするように設計されてきた。このようなシール形態は、空気の入れ換えのすべてをマスク本体を通して行うように強制し、空気によって運ばれる病原体及び／又は伝染性流体が着用者に及び／又は着用者から移動することを妨げるように意図されている。
【０００６】
本体部には、使用者の頭部に本体部を固定して保持するための装置が取り付けられる。例えば、使用者の頭部の周囲に延ばして、着用者の頭部の後ろで結ばれる、手でなされる結び紐は、典型的には手術中に着用されるマスクにおいて使用されている。健康ケア−のために使用される人工呼吸器は、典型的には、弾性バンドを使用し、頭部の周囲を囲んで緊密なシールを確保するために、本体部を顔にしっかりと保持する。着用者の耳に掛けられるループを使用するマスクは、典型的には、隔離病棟又は歯科衛生士などの手術ではない健康ケア−の場合に使用される。
【０００７】
前述したように、顔用マスクは、流体飛沫が通り抜けるのに抵抗するように設計されているので、血液又は他の流体内に見られる病原体は、顔用マスクの使用者の鼻、口及び／又は皮膚に移動することはできない。顔用マスクの飛沫通り抜けに抵抗する能力を評価するために、Ａｍｅｒｉｃａｎ  Ｓｏｃｉｅｔｙ  ｏｆ  Ｔｅｓｔｉｎｇ  ａｎｄ  Ｍａｔｅｒｉａｌｓは、Ｆ−１８６２テスト法「Ｓｔａｎｄａｒｄ  Ｔｅｓｔ  Ｍｅｔｈｏｄ  ｏｆ  Ｒｅｓｉｓｔａｎｃｅ  ｏｆ  Ｍｅｄｉｃａｌ  Ｆａｃｅ  Ｍａｓｋｓ  ｔｏ  Ｐｅｎｅｔｒａｔｉｏｎ  ｂｙ  Ｓｙｎｔｈｅｔｉｃ  Ｂｌｏｏｄ（Ｈｏｒｉｚｏｎｔａｌ  Ｐｒｏｊｅｃｔｉｏｎ  ｏｆ  Ｆｉｘｅｄ  Ｖｏｌｕｍｅ  ａｔ  ａ  Ｋｎｏｗｎ  Ｖｅｌｏｃｉｔｙ）」を開発した。顔用マスクの飛沫に対する抵抗は、典型的には、流体通り抜けを妨げる顔用マスクの層の能力、及び／又は流体飛沫エネルギーの次の層への移動を減少させる能力、及び／又は飛沫エネルギーの吸収力による機能である。流体抵抗を改善する典型的試みは、顔用マスクの形成において厚めの材料又は付加層を使用することである。しかしながら、これらの解決策は、顔用マスクの費用を増加させ更に顔用マスクの多孔性を減少するものとなる。
【０００８】
顔用マスクの飛沫抵抗を改善する付加的試みは、多孔層、嵩高、繊維性材料を組み込むことである。この型の材料は、層が流体飛沫の衝撃エネルギーを吸収するという利点がある。しかしながら、流体がこの嵩高材料を飽和させ、その後の流体飛沫エネルギー吸収効率を減少させる場合が多い。更に、顔用マスクが圧縮された時、流体がこの嵩高材料から絞り出されて次の層を通して移動する可能性がある。
【０００９】
顔用マスクに組み込まれる孔あきフィルムは、米国特許第４，９２０，９６０号に示されており（その全体はすべての目的についてここに組み入れられる）、これは、顔用マスクに流体バリア性を与えながら、フィルムの孔を通して使用者が呼吸することができるようにするために使用することができる。
【００１０】
幾つかの顔用マスクにおいては、点接着ポリオレフィンの層、典型的にはポリプロピレンスパンボンドを、飛沫抵抗を改善するために濾過媒体層のいずれかの側部に配置することができる。
【００１１】
本発明は、顔用マスクに飛沫抵抗を与えるための付加的試みを提供するものである。
【００１２】
【特許文献１】米国特許第４，９２０，９６０号公報
【特許文献２】米国特許第４，３７４，８８８号公報
【特許文献３】米国特許第５，４０１，４６６号公報
【特許文献４】米国特許第６，４８４，７２２号公報
【特許文献５】米国特許第５，６９９，７９１号公報
【特許文献６】米国特許第４，８０２，４７３号公報
【特許文献７】米国特許第４，９６９，４５７号公報
【特許文献８】米国特許第５，３２２，０６１号公報
【特許文献９】米国特許第５，３８３，４５０号公報
【特許文献１０】米国特許第５，５５３，６０８号公報
【特許文献１１】米国特許第５，０２０，５３３号公報
【特許文献１２】米国特許第５，８１３，３９８号公報
【特許文献１３】米国特許第５，６８１，６４５号公報
【特許文献１４】米国特許第５，４９３，７５３号公報
【特許文献１５】米国特許第４，１００，３２４号公報
【特許文献１６】米国特許第５，５４０，９７６号公報
【特許文献１７】米国特許第５，４０１，４４６号公報
【特許文献１８】米国特許第４，２１５，６８２号公報
【特許文献１９】米国特許第４，３７５，７１８号公報
【特許文献２０】米国特許第４，５９２，８１５号公報
【特許文献２１】米国特許第４，８７４，６５９号公報
【特許文献２２】米国特許第３，９５３，５６６号公報
【特許文献２３】米国特許第４，１８７，３９０号公報
【発明の開示】
【発明が解決しようとする課題】
【００１３】
本発明の様々な特徴及び利点は、以下の説明において大部分が述べられ、或いはこの説明により明らかとなるであろう。
【００１４】
本発明は、呼吸のための空気が、マスクの本体を通って引き込まれるようにした、使用者の口と鼻の少なくとも一部分とを覆って配置されるように形成された本体部を備えた顔用マスクを提供する。本体部は、飛沫の衝撃エネルギーを消散させ及び／又は流体飛沫を、衝撃部位から横方向に遠ざかるように流出しやすくさせるバッフル層を有する。バッフル層は、外側表面及び内側表面を有する。バッフル層は、外側表面又は内側表面の１つ又は両方から延びる複数の突起部又は突出部を含む。バッフル層は、三次元形状で、区分された点において前及び／又は後の層と接触するようにすることができる。バッフル層は、本体部を透過する流体に関連するエネルギーを吸収することの助けとなるように形成される。バッフル層は、本体部の単一層を構成することができ、或いは１つまたはそれより多い付加層と組み合わせて使用することができる。例えば、本体部は、バッフル層の突起部に接触する外側層、及びバッフル層の内側層に接触する第三層を有することができる。
【００１５】
本発明の他の例示的実施形態は、上記したように、バッフル層の外側表面上の突起部が、本体部を透過する流体の流れを再配向させるために複数の相互接続チャネルを定める顔用マスクにある。これに関しては、流体は、流体がバッフル層に最初に接触する点から遠ざかるように、バッフル層の外側表面を横方向に向けられる。
【００１６】
代替的には、バッフル層は、本体部とは別の層ではなく、代わりに本体部に存在する層に組み込むことができる。例えば、本体部は、使用者の皮膚に接触する内側層、外側層、及び、３次元ワッフル又は卵カートン形状に形成されて内側層と外側層の間に配置される濾過媒体層を持つことができる。バッフル媒体層から延びる複数の突起部は、内側層及び外側層の両方から延び、その結果３つの層間の接触を最小にする。
【００１７】
バッフル層の突起は、他の例示的実施形態によると、円形枕、六角錘、円錐、又はプリーツなどの種々異なる形状とすることができる。更に、突起部を持つ層はフィルムとすることができ、各々の突起部はフィルムを通した穴を含むことができる。
【００１８】
上記した顔用マスクの例示的実施形態は、顔用マスクが着用される時、本体部において使用者から大きく離れて位置決めされる付加層を含むことができ、これはバッフル層より剛性である。
【００１９】
突起部は、使用者から遠い側のバッフル層の外側表面上に位置させることができる。各々の突起部は、層の内側表面上に内腔を定める。顔用マスクの本体部は、複数の層を持つことができ、突起部は、突起部を持つバッフル層の側部と隣接層の間に内部空間を定める。バッフル層の内側表面上の内腔は、層の内側表面と隣接層の間の接触を最小にし、更に流体が透過するのを妨げるために、顔用マスクの層間の接触を最小にするように機能する。
【００２０】
バッフル層の突起部及び外側表面は、本体部を透過する流体の流れを再配向するために複数の相互接続チャネルを定める。したがって、流体は、該流体が最初に接触した部分より流体透過に対し不透過性である顔用マスクの部分に向けることができる。又、顔用マスク全体に流体を再分散させることにより、領域の流体濃度が減少し又はなくなるので、顔用マスクを通した流体の透過は大幅に少なくなる。チャネルは又、顔用マスクの隣接層の間に空間を形成する。この空間は、顔用マスクの近接した層の間の接触量を減少し、その結果として流体透過をなくし、或いは透過の量を減少する。
【００２１】
（定義）
ここで用いられる「不織布又はウエブ」という用語は、個々の繊維又は糸が互いに組み合わされているが、編布の場合のように識別可能な繰り返される形ではない構造を持つウエブを意味する。不織布又はウエブは、例えばメルトブローン法、スパンボンディング法、及びボンデッドカーデッドウエブ法などの様々な方法により形成されてきた。不織布の基本重量は、通常平方ヤード当たりの材料のオンス（ｏｓｙ）又は平方メートル当たりのグラム（ｇｓｍ）で表わされ、繊維直径は、通常ミクロンで表わされる。（ｏｓｙからｇｓｍに換算する時は、ｏｓｙに３３．９１を掛けること。）
【００２２】
ここで用いられる「複合体」という用語は、多成分材料又は多層材料であるような材料を意味する。これらの材料は、例えば、延伸接着積層体、ネック付与状態で接着した積層体、又はこれらの組み合わせを含むことができる。
【００２３】
ここで用いられる「超音波接着」という用語は、音響ホーン及びアンビルロールの間に材料を通過させることにより、材料（繊維、ウエブ、フィルムなど）が結合される方法を意味する。このような方法の例は、Ｂｏｒｎｓｌａｅｇｅｒ他の米国特許第４，３７４，８８８号に記載されており、その内容は引用によりここに組み入れられる。
【００２４】
ここで用いられる「熱点接着」という用語は、加熱されたカレンダーロールとアンビルロールの間に接着されるように材料（布、ウエブ、フィルムなど）を通過させることを意味する。カレンダーロールは通常、常にではないが、幾つかの方法でパターン化されているので、布全体は表面全体にわたっては接着されず、アンビルロールは通常平滑である。結果として、カレンダーロールの様々なパターンが、機能のためだけでなく美的理由からも開発されてきた。典型的には、接着面積率は、布積層体面積のおよそ１０パーセントからおよそ３０パーセントまで種々異なる。接着面積は、典型的には、別個の点又は形状であり、相互接続されていない。当業者によく知られているように、熱点接着は、積層体層を共に保持し、各々の層の中の接着フィラメント及び／又は繊維により個々の層に一体性を与え、その動きを制限する。
【００２５】
ここで用いられる「熱パターン接着」という用語は、熱点接着の場合のように、加熱されたカレンダーロールとアンビルロールとの間に材料（繊維、ウエブ、フィルムなど）を通過させて接着することを意味する。違いは、接着された領域が、別個の非接着繊維領域を形成するように相互接続されていることである。様々なパターンのカレンダーロールが、機能だけでなく美的理由からも開発されてきた。典型的には、接着面積比は、布積層体面積のおよそ１０パーセントからおよそ３０パーセントの範囲で種々異なる。
【００２６】
ここで用いられる「エレクトレット」又は「エレクトレット処理」は、ポリオレフィンのような誘電性材料を荷電する処理を意味する。電荷は、ポリマーの表面又は表面の近くにトラップされた正電荷又は負電荷、或いはポリマーの本体内に蓄えられた電荷クラウドの層を含む。電荷は又、分子の双極子の配列に拘束された分極電荷を含む。材料にエレクトレット処理を施す手段は，当業者によく知られている。これらの手段は、例えば熱性、液体接触、電子ビーム、及びコロナ放電法などを含む。材料にエレクトレット処理を施す１つの特定の技術は、米国特許第５，４０１，４６６号に記載されており、その全体は引用によりここに組み入れられる。この技術は、材料を１対の電場に曝すことを含み、この電場は正反対の両極性を持つ。
【００２７】
ここでは、与えられた範囲のいずれも、含まれる範囲のいずれか、及びそれより小さいものをすべて含むという意味である。例えば、４５−９０の範囲は、５０−９０、４５−８０、４６−８９及び同様のものも含むことになる。
【発明を実施するための最良の形態】
【００２８】
本発明の実施形態について詳細が説明されており、１つ又はそれより多くの例が図面に描かれている。各々の実施形態は、本発明を説明するためのものであり、本発明を制限する意味ではない。例えば、１つの実施形態の部分として描かれ、或いは説明される特徴は、別の実施形態において利用し、更に別の実施形態とすることができる。本発明は、これらの及び他の修正及び変更を含むことが意図されている。
【００２９】
本発明は、ここで説明されている数値範囲及び限定に制限されるものではない。例えば、約１００から約２００の範囲は、約１１０から約１９０、約１４０から約１６０、及び３１から４５の範囲も含む。更に別の例として、約１０より小さいという数値限定は、約７より小さい、約５より小さい、及び約３より小さいという数値限定を含む。
【００３０】
本発明は、バッフル層を組み込む顔用マスクを提供するものである。バッフル層は、顔用マスクの別の層とするか、或いは顔用マスクのすでに存在する層に組み込まれたもののいずれかとすることができる。バッフル層は、流体飛沫の通り抜けに抵抗するために、材料の隣接層との接触を減少させ及び／又は顔用マスクへの流体衝撃により形成されるエネルギーを吸収し、及び／又は顔用マスクを透過する流体が接触点から遠ざかる方向に通されることができる機構を提供することにより、顔用マスクの能力を改善するものである。
【００３１】
図１及び図２は、本発明の１つの例示的実施形態に使用することができる顔用マスクを示している。顔用マスク１０は、使用者１４の口及び鼻の少なくとも部分を覆って配置されるように形成された本体部１２を含み、通常の呼吸を通して交換された空気が、顔用マスク１０の本体部１２を通過する。しかしながら、本体部１２は、これらに制限されるものではないが、平らな半切マスク、プリーツ加工された顔用マスク、円錐状マスク、平らな折りたたまれた個人用呼吸装置、カモノハシ型マスク、台形型マスクなどのような種々異なる型及び形状とすることができることを理解すべきである。本体部１２は、米国特許第６，４８４，７２２号に記載されるように形成することができ、この特許の全体はすべての目的について引用によりここに組み入れられる。したがって、顔用マスク１０は、使用者１２の口及び鼻を周囲環境から隔離する。顔用マスク１０は、１対の結び紐５４によって使用者１４に取り付けられ、該結び紐は、使用者１４の頭部（及び使用者が着用している場合はヘアーキャップ５２）を囲んで互いに接続される。しかしながら，他の型の締結形態も、本発明の様々な例示的実施形態において使用できることが理解されるべきである。例えば、結び紐５４の代わりに、顔用マスク１０は、耳ループ、頭部を囲む弾性帯、フック・ループ型締結形態によって使用者１４に取り付けられるか、弾性帯によって単一片として使用者１４の頭部を囲むか、或いはヘアーキャップ５２に直接取り付けられることができる。
【００３２】
更に、顔用マスク１０の形態は、様々な例示的実施形態によって異なるものとすることができる。これに関しては、顔用マスク１０は、使用者の両目、髪、鼻、喉、及び口を覆うように形成することができる。このように、本発明は、使用者１４の鼻及び口だけを覆う、顔用マスク１０だけに制限されるものではない。
【００３３】
本発明は、顔用マスク１０の本体部１２に組み込まれるバッフル層１６を提供するものであり、１つの例示的実施形態が図３に示されている。ここでは、バッフル層１６は、三次元形状を持ち、バッフル層１６の外側表面１８は、そこから延びる複数の突起部２２を持つ。図３に示すように、突起部２２は、すべてが実質的に均一であり、円形枕形状とする。この場合、バッフル層１６は、嵩高な二成分スパンボンド材料とすることができる。円形枕形状の突起部２２は、熱パターン接着されたバッフル層１６により形成することができる。
【００３４】
図７は、図１の７−７の線に沿って見た断面図であり、顔用マスク１０に組み込まれた図３のバッフル層１６を示している。この例示的実施形態においては、顔用マスク１０の本体部１２は、４つの層を含む。バッフル層１６は、本体部１２において分離した層であり、外側層３０と濾過媒体層２８の間に配置される。内側層３２は、濾過媒体層２８に近接して配置される。
【００３５】
内側層３２は、顔用マスク１０の使用者１４（図２）の皮膚に接触する。外側層３０は、顔用マスク１０が着用される時、使用者１４（図２）から最も離れて位置される本体部１２の部分である。濾過媒体層２８は、本体部１２を通る病原体の通過を妨げるが、使用者１４（図２）に呼吸させるために、空気の通過を可能にするように形成される。想像できることではあるが、本体部１２内の層１６、２８、３０及び３２の配列は、どのような組み合わせの順番も可能であるように変更することができる。例えば、濾過媒体層とすることができる第一層２８は、本体部１２の最も外側の層又は最も内側の層上に位置させることができる。
【００３６】
図３及び図９を参照すると、突起部２２は、バッフル層１６の外側層２０から延び、濾過媒体層２８から遠ざかるように向けられることがわかる。これに関して、本体部１２の外側層３０を透過する流体は本体部１２上に力を与え、外側層３０を通して突起部２２にまで移動する。
【００３７】
突起部２２は、これらの三次元構造が、本体部１２の外側層３０を透過する流体によって移動される力の少なくとも一部分を吸収するように形成される。流体透過により与えられたこれらの力の吸収は、流体が、本体部１２の濾過媒体層２８及び内側層３２を通り抜けるのを妨げることができる。これに関して、流体が本体部１２の１つ又はそれより多い層の間ですでにトラップされている場合もあり得る。本体部１２を透過する流体により与えられた力は、これらのすでにトラップされた流体を本体部１２を通して更に押し出すようにすることができる。本体部１２上の流体透過により形成されるすべて或いは一部の力を吸収するバッフル層１６を有することにより、バッフル層１６は、これらのトラップされた流体が、本体部１２の層を通して伝播し、顔用マスク１０の使用者１４（図２）に接触することを防止する。
【００３８】
図７に見られるように、突起部２２は、バッフル層１６の外側表面２０上に位置されたチャネル２６を定める。図１１により明らかに見られるように、突起部２２は、バッフル層１６と外側層３０の間に内部空間５０を定める。同様に、内腔４８は、バッフル層１６の内側層１８と濾過媒体層２８の間に空間を定める。内部空間５０（図１１）及び内腔４８により形成された空間は、層３０及び層２８を分離させる。これは、層間の接触面積を減少させ、１つの層から次の層への流体吸い上げ能力を低下させるものである。このように、突起部２２は、本体部１２の層を分離させ、層間の接触表面面積を減少させることにより、流体が本体部１２の層を通して容易に移動できないようにする。
【００３９】
図８は、図３及び図７に使用されるバッフル層１６の斜視図である。図８に見られるように、突起部２２は、バッフル層１６の外側表面１８上に複数のチャネル２６を定める。バッフル層１６を直接透過するか、或いは本体部１２の前の層を通してバッフル層１６に移動する流体は、接触点２４でバッフル層１６に接触する。流体は、次に、バッフル層１６の外側表面１８上のチャネル２６を通して移動させられることにより、接触点２４から分散させられることができる。チャネル２６を付与することにより、流体は、バッフル層１６の外側表面１８に移動し、より均一に分布されることができる。
【００４０】
この流体の分布は、バッフル層１６の外側表面１８上の特定の位置に流体が溜って蓄積することを防止するものである。バッフル層１６上の特定の位置に流体が大量に集中すると、同じ量の流体が、バッフル層１６の外側表面１８の広い部分に分布された場合とは対照的に、流体がバッフル層１６を通して移動する傾向が多くなることが典型的に生じる。
【００４１】
チャネル２６は、相互接続チャネルとすることができ、すべてのチャネル２６は、互いに連通状態にある。これは、いずれの接触点２４においても、バッフル層１６に接触する流体が、多くのチャネル２６を通して分布されるようになる利点をもたらす。代替的には、チャネル２６は、チャネル２６の一部分だけが互いに連通状態になるように形成することができる。更に、本発明の他の例示的実施形態によると、どんな数のチャネル２６を設けることもできる。
【００４２】
チャネル２６は、バッフル層１６に接触する流体を、本体部１２上又はその中の望ましい位置に再配向させることができる。例えば、接触点２４においてバッフル層１６に当たる流体が、バッフル層の外側表面１８に沿って再指向され、例えば顔用マスク１０の側部に沿った位置に本体部１２を通して流れるように、チャネル２６を形成することができる。この型の配列は、顔用マスク１０の使用者の鼻及び／口に流体が接触することを妨げ、代わりに使用者の鼻及び／口から遠ざかる位置に流体を再指向させるという利点がある。
【００４３】
図７に示されるように、バッフル層１６は、顔用マスク１０の本体部１２を形成する４つの層のうちの１つの層とすることができる。しかしながら、本発明の様々な例示的実施形態においては、どのような数の層によって本体部１２を形成してもよいことが理解されるべきである。例えば、本発明の１つの例示的実施形態においては、単一層のみが、これはバッフル層１６となるものであるが、本体部１２を形成するために使用される。代替的には、本体部１２は、バッフル層１６は、バッフル層１６のいずれの側にも直接に隣接する層を持たないように形成することができる。これに関して、バッフル層１６の内側表面２０が、使用者の皮膚に直接接触する場合もある。代替的には、本体部１２は、バッフル層１６の外側表面１８が、本体部１２の最も外側の部分を定めるように形成し、バッフル層１６の外側層１８が本質的に顔用マスク１０の外側表面を構成するようにすることができる。この実施形態においては、バッフル層１６が１つの表面だけに突起部２２を有するものであれば、バッフル層１６の内側層２０上に該突起部を有するようにすることにより、飛沫抵抗は理想的なものとなるであろう。これは、バッフル層１６と隣接層との間の接触を最小にすることになる。このように、本発明は、バッフル層１６のいずれの側にも層が存在しないような様々な例示的実施形態を含む場合がある。
【００４４】
本発明の１つの例示的実施形態によると、本体部１２は、バッフル層１６が、バッフル層１６の外側表面１８と内側表面２０の両方に隣接する層を有するように形成されている。更に、流体飛沫からの衝撃力をバッフル層１６に移す層は、バッフル層１６より剛性であるように形成することができる。例えば、図７を参照すると、流体は外側層３０に接触する。外側層３０を通り抜ける流体は、バッフル層１６の突出部２２の間のチャネル２６内に集積される。流体透過に関しては、バッフル層１６の前部にバッフル層１６より剛性である１つ又はそれより多い層を形成することにより、流体透過の衝撃エネルギーは本体部１２のより広い領域にわたって分布されるという利点があることを、本出願人は見出した。これに関しては、流体が、本体部１２を通して移動されにくくなる。しかしながら、本発明は又、バッフル層が前の層より剛性であるか、又は前の層と同じくらい剛性である例示的実施形態も含む。
【００４５】
図１０は、バッフル層１６が、本体部１２の濾過媒体層２８に組み込まれた例を示している。ここで見られるように、外側層とすることができる第一層は、バッフル層１６の外側表面１８に近接して配置され、内側層とすることができる第二層は、バッフル層１６の内側表面２０に近接して配置される。代替的には、バッフル層１６は、本体部１２の外側層３０又は内側層３２に組み込まれるように、顔用マスク１０に組み込むことができる。
【００４６】
本発明の付加的例示的実施形態においては、１つより多いバッフル層１６が本体部１２に組み込まれる。例えば、バッフル層１６を、本体部１２に組み込み、濾過媒体層２８は、三次元バッフル層形状に形成することができる。本発明の更なる例示的実施形態では、バッフル層１６が、突起部２２が使用者に向かって延びるように配向される。図１０を参照すると、バッフル層１６は裏返され、突起部２２が内側層３２に向かって、更に結果として顔用マスク１０の使用者１４（図２）に向かって延びるようにされる。本発明の更なる例示的実施形態では、突起部２２が、使用者に向かって、かつ使用者から離れる方向に延びる。これに関しては、突起部２２は、突起部２２が使用者に向かって延びる場合に、本体部１２上のある位置で、流体透過の衝撃力に良好なクッション効果を与える。このように、本発明は、顔用マスク１０が着用される時、使用者から遠ざかる方向に延びる突起部２２を持つことに制限されるものではない。
【００４７】
図９は、バッフル層１６が、外側表面２０から延びる複数の突起部２２を持つ場合の代替的例示的実施形態を示している。しかしながら、前述した例示的実施形態とは違って、突起部２２は、バッフル層１６の内側表面１８上に複数の内腔を定めない。これに関しては、バッフル層１６の内側表面１８は、本質的に内側表面１８の表面全体に沿って、本体部１２の濾過媒体層２８と接触する。更に別の例示的実施形態においては、付加的突起部２２が、バッフル層１６の内側表面１８から延び、更に濾過媒体層２８と係合する。このような形態においては、１対の内側空間５０（図１１）が形成され、１つは、外側表面２０と外側層３０の間に定められ、もう一方は、内側表面１８と濾過媒体層２８の間に定められる。
【００４８】
付加的例示的実施形態においては、突起部２２が円形枕の形状ではない状態で存在する。例えば、図４は、バッフル層１６が、エンボス加工されたボンデッドカーデッドウエブ材料である実施形態を示している。この場合には、突起部２２は六角形状とする。バッフル層１６は、軽量（０．５から１．９ｏｓｙ）ボンデッドカーデッドウエブ材料とすることができ、六角形状突起部２２は、噛合いエンボスロールを使用してエンボス加工される。突起部２２は、複数の相互接続チャネル２６を定めるように配列することができる。凹み３８は、六角形状突起部２２の外側表面上に位置させることができる。凹み３８の存在は、バッフル層１６の構造的剛性を増加させ、流体透過の衝撃力に更にクッション効果を与える付加的空間を提供し、更に隣接層との接触を最小にし、流体通り抜けの機会を減少させることができる。
【００４９】
バッフル層１６の更なる例示的実施形態が図５に示されている。この場合には、バッフル層１６は、不透過性フィルム４０である材料から形成することができる。フィルム４０は、流体がそこを通って移動することを妨げ、本体部１２の流体透過を妨げる能力を助長するように形成することができる。フィルム４０は、１つの例示的実施形態においては、Ｔｒｅｄｅｇａｒ６６０７  Ｖｉｓｐｏｒｅフィルムとすることができる。孔あきフィルム４０の例は、上記した米国特許第４，９２０，９６０号に見ることができる。
【００５０】
図５に示されているバッフル層１６は、内部に配置された孔４２の形状で複数の小孔を持つことができる。孔４２は、各々の突起部２２上に配置される。孔４２は、バッフル層１６を通して空気を移動させ、これにより使用者が呼吸することが可能となる。しかしながら、孔４２のサイズがあまり大きすぎると，バッフル層１６上の特定の位置に蓄積された流体が、孔４２を通して移動することになる。この場合においては、バッフル層１６を通して空気は移動するが、流体の移動は妨げるような大きさが、孔４２の最適なサイズになる。本発明の１つの例示的実施形態によると、孔４２は、直径１ミリメートルとすることができる。代替的には、様々な例示的実施形態によると、孔４２は、０．５ミリメートルから１．５ミリメートルの間とすることができる。
【００５１】
図６は、突起部２２が、バッフル層１６の外側表面１８に沿って配置された隆起部４４の形状である代替的形態を示している。複数の隆起部４４は、その間に複数の谷部４６を定める。この結果、この例示的実施形態においては、バッフル層１６の外側表面１８は波形状を有する。バッフル層１６に接触する流体は、谷部４６に沿って移動させることができ、前述した例示的実施形態で述べたように、この谷部４６はチャネル２６として機能する。谷部４６は、バッフル層１６の様々な形態に関しては、互いが相互接続することができ、或いは、互いに独立したものとすることができる。更に、他の例示的実施形態に関して上記した突起部２２が内腔４８を形成するのと同様に、隆起部４４は、バッフル層１６の内側表面２０上に対応する内腔を形成することができる。
【００５２】
突起部２２は、多くの型、形状、又はパターンの如何なる形ででも形成することができる。小さく、緊密なパターンの突起部は、本体部１２の外側層にあまり剛性ではない支持を付与するために使用することができる。大きく、距離の離れたパターンの突起部２２は、多量の流体を集積するために、バッフル層１６に多くのチャネルを提供するために使用することができる。
【００５３】
バッフル層１６は、ポリオレフィン不織材料のような疎水性材料により形成することができる。バッフル層１６を分離した層として顔用マスク１０が形成される場合には、バッフル層１６は、顔用マスク１０の通気性への衝撃は最小とするのに十分に多孔であるが、流体透過によりもたらされる飛沫の通り抜けに抵抗するには十分に閉状態である材料で形成する。
【００５４】
顔用マスクの本体部１２は、非弾性材料により形成することができる。代替的には、本体部１２を形成するために使用される材料は弾性材料から成るものとすることができ、本体部１２は、使用者１４（図２）の鼻、口及び／又は顔を覆うように延びるものとすることができる。
【００５５】
図には示されていないが、顔用マスク１０に異なる望ましい特徴を付与するために、構造的要素を本体部１２に組み込むことができる。例えば、一連のステーを本体部１２内に使用することができる。ステーは、本体部１２に構造的剛性を付与することができ、本体部１２の周辺をシールするように形成することができる。代替的には、ステーは、使用者の鼻の周囲に本体部１２を順応させるように、本体部１２内に使用することができる。
【００５６】
更に、ステーは、使用者の頬の周辺に良好に適合する本体部を形成するために使用することができる。ステーは、本体部１２が良好な適合性を持つようにさせ、更に使用者の口及び／又は鼻の辺りにくぼみを形成するようにさせる。しかしながら、本発明の他の例示的実施形態において、本体部１２は幾つものステーを備えて形成され、或いはステーなしで形成することができる。顔用マスクに組み込まれた一連のステーは、米国特許第５，６９９，７９１号に記載され，その全体はすべての目的について引用によりここに組み入れられる。ステーは、金属ワイヤ又はアルミニウムバンドなどの細長い展性材料で形成されることができ、顔用マスク１０の本体部１２にこの形状を与えるために、剛性形状に形成されることができる。
【００５７】
本発明に開示されたバッフル層１６は、長方形型マスク、プリーツ加工されたマスク、カモノハシ型マスク、円錐状マスク、台形型マスクなどを含む、あらゆる顔用マスク形状又は形態に組み込まれることができる。本発明による顔用マスク１０は、バイザー又はシールド、曇り止めテープ、シール用フィルム、顎鬚カバーなどの、知られた顔用マスク１０の特徴のどんな組み合わせにも組み込むことができる。顔用マスクの例は、例えば、米国特許第４，８０２，４７３号、第４，９６９，４５７号、第５，３２２，０６１号、第５，３８３，４５０号、第５，５５３，６０８号、第５，０２０，５３３号及び第５，８１３，３９８号に記載されている。これらの特許は、その全体がすべての目的について引用によりここに組み入れられる。
【００５８】
上述したように、顔用マスク１０は、層１６、２８、３０及び３２で構成することができる。これらの層は、当業者に知られた様々な材料から形成することができる。例えば、本体部１２の外側層３０は、スパンボンド，メルトブローン、又はコフォーム不織ウエブ、ボンデッドカーデッドウエブ、又は湿潤堆積複合体のようなどんな不織ウエブとすることもできる。本体部１２の内側層３２及び外側層３０は、ネック付与した不織ウエブ又は可逆的にネック付与した不織ウエブとすることができる。内側層３２及び外側層３０は、同じ材料又は異なった材料で形成されることができる。
【００５９】
不織ウエブ製品には多くのポリオレフィンを使用することができ、例えば、Ｄｏｗ  ＣｈｅｍｉａｌのＡＳＰＵＮ（登録商標）６８１１Ａ線状ポリエチレン、２５５３ＬＬＤＰＥ及び２５３５５、及び１２３５０ポリエチレンなどのポリエチレンが適したポリマーを使用することができる。ポリプロピレンを形成する繊維は、例えば、Ｅｘｘｏｎ  Ｃｈｅｍｉｃａｌ  Ｃｏｍｐａｎｙ’ｓ  Ｅｓｃｏｒｅｎｅ（登録商標）ＰＤ３４４５ポリプロピレン及びＣｈｅｍｉｃａｌ  Ｃｏ．のＰＦ−３０４を含む。他の多数の適したポリオレフィンも商業的に入手可能である。
【００６０】
顔用マスク１０の形成に使用される様々な材料は、ネック付与した不織ウエブ、可逆的にネック付与した不織材料、ネック付与状態で接着した積層体、及び弾性コフォーム材料、弾性メルトブローン不織ウエブ、複数の弾性フィラメント、弾性フィルム又はこれらの組み合わせのような弾性材料とすることができる。このような弾性材料は、複合体に組み込まれており、例えば、Ｓｔｒａｃｋ他の米国特許第５，６８１，６４５号、Ｌｅｖｙ他の米国特許第５，４９３，７５３号、Ａｎｄｅｒｓｏｎ他の米国特許第４，１００，３２４号、Ｓｈａｗｖｅｒ他の米国特許第５，５４０，９７６号に記載されており、その全体はすべての目的について引用によりここに組み入れられる。弾性フィルムが本体部２０に使用されている例示的実施形態において、フィルムは、使用者１２が本体部２０を通して呼吸できることを保証するために、十分に孔があいていなければならない。
【００６１】
濾過媒体層（図７における層２８）は、メルトブローン不織ウエブから形成することができ、幾つかの実施形態において、エレクトレットとすることができる。エレクトレット処理は、濾過媒体層に電荷を付与し、これは濾過されるべき粒子を電荷により濾過媒体層に対して吸引することにより濾過効率を更に増加する。エレクトレット処理は、多くの異なる技術によって実行することができる。１つの技術は、Ｔｅｎｎｅｓｓｅｅ  Ｒｅｓｅａｒｃｈ  Ｃｏｒｐｏｒａｔｉｏｎに譲渡されたＴｓａｉ他の米国特許第５，４０１，４４６号に記載されており、その全体はすべての目的について引用によりここに組み入れられる。当業者に知られた他のエレクトレット処理の手段は、Ｋｕｂｉｋ他の米国特許第４，２１５，６８２号、Ｗａｄｓｗｏｒｔｈ他の米国特許第４，３７５，７１８号、Ｎａｋａｏ他の米国特許第４，５９２，８１５号、及びＡｎｄｏ他の米国特許第４，８７４，６５９号に記載されており、その全体は引用によりここに組み入れられる。
【００６２】
濾過媒体層（図７における層２８）は、Ｗ．Ｌ．Ｇｏｒｅ＆Ａｓｓｏｃｉａｔｅｓにより製造されるもののような、拡長されたポリテトラフルオロエチレン（ＰＴＦＥ）膜で形成することができる。このような材料の構成及び作用のより完全な説明は、Ｇｏｒｅ他の米国特許第３，９５３，５６６号及びＧｏｒｅ他の米国特許第４，１８７，３９０号に示されており、その全体は引用によりここに組み入れられる。拡長されたポリテトラフルオロエチレン膜は、これらに制限されるものではないが、外側不織ウエブ層、伸長可能で収縮可能な層、及び不織ウエブを含む内側層を含む、多層複合体に組み入れることができる。
【００６３】
顔用マスク１０の多層は、接着剤接着、熱接着、又は超音波接着を含む様々な手段によって結合することができる。
【００６４】
本発明は、ここで説明された顔用マスク１０の例示的実施形態に加えることができる様々な修正であって、添付され特許請求の範囲及びその均等手段の範囲内に入る修正を含むものと理解されるべきである。
【図面の簡単な説明】
【００６５】
【図１】本体部を有する顔用マスクの斜視図である。
【図２】本体部を備えて、使用者の頭部に取り付けられた顔用マスクの斜視図である。
【図３】顔用マスクの、複数の突起部を有するバッフル層の斜視図である。本発明のこの例示的実施形態においては、突起部は円形枕である。
【図４】複数の突起部を有する、本体部のバッフル層の例示的実施形態の斜視図である。本発明の例示的実施形態においては、突起部は六角形状である。
【図５】顔用マスクの本体部のバッフル層の斜視図である。本発明のこの例示的実施形態においては、層はフィルムであり、かつ、複数の突起部を有し、突起部の各々は内部に孔を定める。
【図６】顔用マスクの本体部のバッフル層の斜視図である。本発明のこの例示的実施形態においては、層は、一連の隆起部である複数の突起部を有し、波形状を有するように層内に溝を定める。
【図７】図１の７−７の線から見た断面図である。
【図８】本発明の一例示的実施形態によるバッフル層の斜視図である。バッフル層を透過し、更にバッフル層上に定められた複数のチャネルを介して遠ざかる方向に再配向される流体を示している。
【図９】本発明による顔用マスクの例示的実施形態の部分的断面図である。ここでは、流体層が本体部内に存在し、バッフル層は本体部の第一層と第二層の間に位置されている。
【図１０】本発明による顔用マスクの例示的実施形態の部分的断面図である。この例示的実施形態においては、濾過媒体層とすることができるバッフル層は、内側層と外側層の間に位置される。
【図１１】本発明による顔用マスクの例示的実施形態の部分的斜視図である。ここでは、バッフル層の外側表面上の突起は、バッフル層の突起に接触するバッフル層の外側表面とバッフル層に近接した層の間に内部空間を定める。
【図１２】本発明による顔用マスクの例示的実施形態の部分的断面図である。ここでは、バッフル層は本体部の外側層に位置されている。バッフル層の外側表面は平坦で、更に突出部が、濾過媒体層と接触するために、バッフル層の内側表面から延びる。
【符号の説明】
【００６６】
１０  顔用マスク
１２  本体部
１６  バッフル層
１８  外側表面
２２  突起部
２６  チャネル
２８  濾過媒体層
３０  外側層
３２  内側層
４０  フィルム
４４  隆起部
５０  内部空間
【図１】
2007515248.tif 000003
【図２】
2007515248.tif 000004
【図３】
2007515248.tif 000005
【図４】
2007515248.tif 000006
【図５】
2007515248.tif 000007
【図６】
2007515248.tif 000008
【図７】
2007515248.tif 000009
【図８】
2007515248.tif 000010
【図９】
2007515248.tif 000011
【図１０】
2007515248.tif 000012
【図１１】
2007515248.tif 000013
【図１２】
2007515248.tif 000014
【国際調査報告】
2007515248.tif 000015
2007515248.tif 000016
2007515248.tif 000017
2007515248.tif 000018